(57)【要約】【課題】小表示部が立体的に見えるように構成することにより、新たな視覚効果を得ることができるようにする。【解決手段】文字板８の表面に沿って指針７を回動可能に設けると共に、文字板８の表面側に文字板８から離間させて透明カバー２５を配設した車両用計器１に対し、透明カバー２５部分に、文字板８に対して浮遊状態となるように小表示部３５を配設するようにしている。これにより、小表示部３５が文字板８の表面に対して宙に浮遊した状態に見えるため、立体感のある新たな視覚効果を得ることができるようになる。【選択図】　　　　図１
2004132756.tif 000002
【特許請求の範囲】
【請求項１】
文字板の表面に沿って指針を回動可能に設けると共に、文字板の表面側に文字板から離間させて透明カバーを配設した車両用計器において、
前記透明カバーに、文字板に対して浮遊状態となるよう小表示部を配設したことを特徴とする車両用表示装置。
【請求項２】
前記小表示部を、前記透明カバーの前記指針の基部と重なる位置に配置したことを特徴とする請求項１記載の車両用表示装置。
【請求項３】
前記小表示部をハウジングに収容すると共に、該ハウジングの外側面が、前記指針の基部の外側面と略面一状態で連続するように構成するか、或いは、前記ハウジングの外側面が、前記指針の基部の外側面よりも大径となるように構成したことを特徴とする請求項１または２に記載の車両用表示装置。
【請求項４】
前記小表示部のハウジングの外側面を、前記文字板へ近づくに従い細くなる逆テーパ形状に連続させたことを特徴とする請求項３記載の車両用表示装置。
【請求項５】
前記指針の基部に、前記小表示部へ給電するためのハーネスを通す挿通孔を設けると共に、該挿通孔を指針の回動に対してハーネスが干渉しない非干渉形状としたことを特徴とする請求項１ないし４のいずれか１項に記載の車両用表示装置。
【発明の詳細な説明】
【０００１】
【発明の属する技術分野】
この発明は、車両用表示装置に関するものである。
【０００２】
【従来の技術】
自動車等の車両には、車室前部のインストルメントパネル部分に、速度計や回転計や水温計、オド・トリップメータ等の複数の計器部を有する指示計器（車両用計器）が取付けられている。
【０００３】
このような車両用計器には、指針の回動領域を有する文字板における指針の基部に、セグメント表示部および自由表示部を有する小表示部を備えたものもある。（特許文献１参照）
【０００４】
【特許文献１】
特開２０００−１０８７２２号公報
【０００５】
【発明が解決しようとする課題】
しかしながら上記公報の車両用計器では、小表示部は、文字板に対して略面一の状態で設けられていたため、文字板と略同一面上に小表示部が存在するかの如く視認されるので、平坦に見え、充分な視覚効果を得ることができないという問題があった。
【０００６】
そこで、本発明の目的は、上記の問題点を解消し、小表示部が立体的に見えるように構成することにより、新たな視覚効果を得ることのできる車両用表示装置を提供することにある。
【０００７】
【課題を解決するための手段】
上記課題を解決するために、請求項１の発明では、文字板の表面に沿って指針を回動可能に設けると共に、文字板の表面側に文字板から離間させて透明カバーを配設した車両用計器において、前記透明カバー部分に、小表示部を浮遊状態で配設したことを特徴としている。
【０００８】
このように構成された請求項１の発明によれば、小表示部が文字板の表面に対して宙に浮遊した状態に見えるため、立体感のある新たな視覚効果を得ることができる。
【０００９】
請求項２の発明では、前記小表示部を、前記透明カバーの前記指針の基部と重なる位置に配置した請求項１記載の車両用表示装置を特徴としている。
【００１０】
このように構成された請求項２の発明によれば、小表示部を指針の基部と重なる位置に配設することにより、小表示部を視認し易い位置で且つ文字板の邪魔にならない位置に配置することができる。
【００１１】
請求項３の発明では、前記小表示部をハウジングに収容すると共に、該ハウジングの外側面が、前記指針の基部の外側面と略面一状態で連続するように構成するか、或いは、前記ハウジングの外側面が、前記指針の基部の外側面よりも大径となるように構成した請求項１または２に記載の車両用表示装置を特徴としている。
【００１２】
このように構成された請求項３の発明によれば、小表示部を収容するハウジングの外側面が、指針の基部の外側面と略面一状態で連続するか、或いは、ハウジングの外側面が、指針の基部の外側面よりも大径となるようにすることにより、小表示部を良好な外観に仕上げることができる。
【００１３】
請求項４の発明では、前記小表示部のハウジングの外側面を、前記文字板へ近づくに従い細くなる逆テーパ形状に連続させた請求項３記載の車両用表示装置を特徴としている。
【００１４】
このように構成された請求項４の発明によれば、小表示部のハウジングの外側面を文字板へ近づくに従い細くなる逆テーパ形状とすることにより、文字板の表示領域をより広く確保することができると共に、小表示部のハウジングを目線から有効に隠すことができる。
【００１５】
請求項５の発明では、前記指針の基部に、前記小表示部へ給電するためのハーネスを通す挿通孔を設けると共に、該挿通孔を指針の回動に対してハーネスが干渉しない非干渉形状とした請求項１ないし４のいずれか１請求項に記載の車両用表示装置を特徴としている。
【００１６】
このように構成された請求項５の発明によれば、指針の基部に小表示部へ給電するためのハーネスを通す挿通孔を設けることにより、ハーネスを介して小表示部へ有効に給電することができる。また、挿通孔をハーネスと非干渉形状とすることにより、回動中の指針にハーネスが干渉しないようにすることができる。
【００１７】
【発明の実施の形態】
以下、本発明の具体的な実施の形態について、図示例と共に説明する。
【００１８】
図１〜図６は、この発明の実施の形態を示すものである。
【００１９】
まず、構成を説明すると、自動車等の車両における車室前部にはインストルメントパネルが設けられている。このインストルメントパネルには、図１、図２に示すような、指示計器（車両用計器１）が設けられている。この指示計器（車両用計器１）は、複数の計器部２を有している。各計器部２は、例えば、速度計３や回転計４や水温計５や燃料計６などから構成されている。
【００２０】
各計器部２は、図３〜図５に示すように、指針７の回動領域を有する文字板８と、指針７を回動するムーブメント９およびＬＥＤなどの照明用の光源１０などを備えた基盤１１とを備えている。
【００２１】
基盤１１は文字板８の裏面側に所要の間隔を有して配設されている。また、文字板８と基盤１１とは共にケース１２に収容されている。
【００２２】
文字板８における指針７の回動領域の略中心部には指針軸孔１３が形成されている。この指針軸孔１３に対してムーブメント９の出力軸（指針軸１４）が挿通されている。この指針軸１４の先端には指針７の基部１５（指針回動中心）が取付けられている。この指針７の基部１５には、略円筒型の指針キャップ１６が取付けられている。
【００２３】
また、指針７の回動領域の外周部には、目盛や数値などの文字目盛等表示部が略円形に形成されている。ここで、文字板８は樹脂製の透明板を備えている。この文字板８に文字目盛等表示部を残して非透光性の印刷を施すことにより、透光性の文字目盛等表示部が形成されている。そして、文字板８の裏面側には光源１０からの照明光を文字板８の文字目盛等表示部へと導く導光体１７が設けられている。
【００２４】
ここで、文字板８は、平面視ほぼ円形状を呈している。また、文字板８は、側面視ほぼ凹面状を呈している。これに対応して、指針７の側面形状も、文字板８の凹面状に沿った湾曲形状とされている。そして、指針７の基部１５には、指針７を発光させる光源１８が設けられている。
【００２５】
この実施の形態の車両用計器１では、上記の各計器部２は、図１、図２に示すように、単眼風メータとされている。
【００２６】
即ち、文字板８の表面側外周を取囲み筒状を呈する外周壁部材２１を設けることにより、各計器部２をそれぞれ独立させて、単眼風メータとしている。なお、水温計５と燃料計６とは同じ外周壁部材２１内に収容されている。これにより、３連の単眼風メータとしている。そして、３連の単眼風メータの外周壁部材２１間を略円形の連結部２２をラップさせた状態で連結して、メータ意匠を構成している。そして、この連結部２２に各種の警告灯２３などを設けている。
【００２７】
更に、図３〜図５に示すように、文字板８の表面に対し文字板８から離間させて透明カバー２５を支持するようにしている。
【００２８】
そして、透明カバー２５を断面山型形状として、外周壁部材２１の内周面へ向けて外光を反射させ得るよう構成している。
【００２９】
更に、外周壁部材２１を透明カバー２５と同一材質の透明材料で形成している。そして、外周壁部材２１の側面２１ａ，２１ｂを隠蔽処理して外周壁部材２１の先端縁部２１ｃが発光部２６となるように構成している。
【００３０】
そして、外周壁部材２１の後端縁部２１ｄに光源１０を配設して、この光源１０からの照明光を発光部２６へ導くように構成している。ここで、上記した照明用の光源１０を、文字板８の外周部で、且つ、導光体１７の側端部１７ａおよび外周壁部材２１の後端縁部２１ｄに配置することにより、光源１０を共用させるようにしている。この光源１０には、例えば、ＬＥＤを用いる。この光源１０は、外周壁部材２１の周方向に対し、所要の間隔をおいて複数個配置する。例えば、光源１０は１０〜１２個程度配置する。
【００３１】
且つ、断面山型形状をした透明カバー２５の裾野部２５ａを、外周壁部材２１の後端縁部２１ｄに一体に接続している。
【００３２】
そして、外周壁部材２１の側面２１ａ，２１ｂの隠蔽処理は、内筒部材２８および外筒部材２９より構成されて、内筒部材２８および外筒部材２９の間に外周壁部材２１を収容している。なお、外周壁部材２１の側面２１ａ，２１ｂの隠蔽処理は、塗装などとしても良い。
【００３３】
外周壁部材２１の先端縁部２１ｃの発光部２６には、内外周面が内筒部材２８および外筒部材２９と面一になる発光リング部材３１が、内筒部材２８および外筒部材２９とは別体に設けられている。
【００３４】
発光リング部材３１の表面は、金属光沢を有すると共に照明光を透過可能な薄膜の表面処理３２が施されている。
【００３５】
この実施の形態の車両用計器１では、更に、透明カバー２５に、文字板８に対して浮遊状態となるよう小表示部３５を配設する。この小表示部３５には、例えば、シフトレンジ表示や方向支持表示などを表示させるようにする。
【００３６】
この小表示部３５は、透明カバー２５のどの位置に取付けても良いが、好ましくは、透明カバー２５の指針７の基部１５と重なる位置、即ち、透明カバー２５の山型形状の頂部２５ａの裏面側に配置・固定する。
【００３７】
この小表示部３５は、矩形状のＬＣＤパネルまたはＥＬパネルで構成され、例えばＬＣＤの場合はその背面には拡散板３６が接着され、その背後からバックライト３７で照明し得るように構成されている。このバックライト３７には、例えば、ＬＥＤなどを用いる。これらの小表示部３５、拡散板３６、バックライト３７は、略円筒形のハウジング３８に収容されている。
【００３８】
そして、透明カバー２５の頂部２５ａは、ハウジング３８の先端と略同一径の開口部３９が形成され、この開口部３９には遮光板４０（例えば光の出射方向を規制制御するライトコントロールフィルム等）が取付けられている。上記した小表示部３５はこの遮光板４０の裏面に密接配置されている。また、ハウジング３８は開口部３９の裏面側の縁部にその全周を支持されている。更に、開口部３９の表面側の縁部には、リング状のレンズ４１が突設形成されている。
【００３９】
そして、好ましくは、この小表示部３５を収容するハウジング３８の外側面３８ａが、指針７の基部１５の外側面１５ａと略面一状態で連続するように構成する。或いは、ハウジング３８の外側面３８ａが、指針７の基部１５の外側面１５ａよりも大径となるように構成する。即ち、指針７の基部１５の外側面１５ａがハウジング３８の外側面３８ａよりも小径となるように構成する。なお、ハウジング３８の外側面３８ａと指針キャップ１６との間には、僅少な間隙４２が介在されている。
【００４０】
この際、好ましくは、小表示部３５のハウジング３８の外側面３８ａを、文字板８へ近づくに従い細くなる逆テーパ形状とする。同様に、指針キャップ１６の外側面２１ａ，２１ｂも、文字板８へ近づくに従い細くなる逆テーパ形状としても良い。
【００４１】
更に、指針７の基部１５に設けられた指針キャップ１６に、小表示部３５やバックライト３７へ給電するためのハーネス４３を通す挿通孔４４を設けると共に、挿通孔４４を指針７の回動に対してハーネス４３が干渉しない非干渉形状とする。さらに非干渉形状の挿通孔４４について説明すると、前記挿通孔４４は、指針軸１４が圧入固定される圧入部及び該圧入部から指針７へ延びる連結部を残し、指針軸と同軸での円弧状スリットに形成されており、指針が回転した場合に、ハーネス４３は円弧状スリットからなる挿通孔４４内を相対移動する。
【００４２】
次に、この実施の形態の作用について説明する。
【００４３】
この実施の形態によれば、文字板８の表面側外周を取囲む筒状の外周壁部材２１を、透明カバー２５と同一材質の透明材料で形成し、外周壁部材２１の側面２１ａ，２１ｂを隠蔽処理して、外周壁部材２１の後端縁部２１ｄに光源１０を配設することにより、外周壁部材２１を導光体１７として利用し、外周壁部材２１の先端縁部２１ｃを発光部２６としてリング状に光らせることができ、これにより、新たな視覚効果を得ることができる。また、透明カバー２５と外周壁部材２１とを一体に接続することにより、構造を簡略化し、機能を集約して、部品コストを削減することができる。
【００４４】
内筒部材２８および外筒部材２９を用いて外周壁部材２１の側面２１ａ，２１ｂの隠蔽処理を行うことにより、隠蔽処理を確実に行うことができると共に、外観品質をより高級なものとすることができる。
【００４５】
外周壁部材２１の先端縁部２１ｃの発光部２６に発光リング部材３１を設けることにより、発光部２６の発光をより高品質なものとすることができる。また、発光リング部材３１を内筒部材２８および外筒部材２９と別体に設けることにより、製造を容易化することができる。更に、発光リング部材３１の内外周面を内筒部材２８および外筒部材２９と面一にすることにより、連続感や一体感を得ることができる。
【００４６】
発光リング部材３１に施した薄膜の表面処理３２により、発光リング部材３１は、非照明時は金属光沢面に見え、照明時は表面処理３２を透過したイルミネーション光を見ることができる。
【００４７】
更に、この実施の形態によれば、透明カバー２５に、文字板８に対して浮遊状態となるよう小表示部３５を配設したことにより、小表示部３５が文字板８の表面に対して宙に浮遊した状態に見えるため、立体感のある新たな視覚効果を得ることができる。
【００４８】
また、小表示部３５を指針７の基部１５と重なる位置に配設することにより、小表示部３５を視認し易い位置で且つ文字板８の邪魔にならない位置に配置することができる。
【００４９】
小表示部３５を収容するハウジング３８の外側面３８ａが、指針７の基部１５の外側面１５ａと略面一状態で連続するか、或いは、ハウジング３８の外側面３８ａが、指針７の基部１５の外側面１５ａよりも大径となるようにすることにより、小表示部３５を良好な外観に仕上げることができる。
【００５０】
更に、小表示部３５のハウジング３８の外側面３８ａを文字板８へ近づくに従い細くなる逆テーパ形状とすることにより、文字板８の表示領域をより広く確保することができると共に、小表示部３５のハウジング３８の外側面３８ａを目線から有効に隠すことができる。同様に、指針７の基部１５の外側面１５ａを文字板８へ近づくに従い細くなる逆テーパ形状とすることにより、文字板８の表示領域をより広く確保することができると共に、小表示部３５のハウジング３８の外側面３８ａを目線から有効に隠すことができる。
【００５１】
そして、指針７の基部１５に小表示部３５などへ給電するためのハーネス４３を通す挿通孔４４を設けることにより、ハーネス４３を介して小表示部３５へ有効に給電することができる。また、挿通孔４４をハーネス４３と非干渉形状とすることにより、回動中の指針７にハーネス４３が干渉しないようにすることができる。なお、小表示部３５などへの給電は、ハーネス４３を用いる以外にも非接触式で行うことができる。この場合には、指針７の基部１５に挿通孔４４を設ける必要がないことは言うまでもない。
【００５２】
【発明の効果】
以上説明してきたように、請求項１の発明によれば、小表示部が文字板の表面に対して宙に浮遊した状態に見えるため、立体感のある新たな視覚効果を得ることができる。
【００５３】
請求項２の発明によれば、小表示部を指針の基部と重なる位置に配設することにより、小表示部を視認し易い位置で且つ文字板の邪魔にならない位置に配置することができる。
【００５４】
請求項３の発明によれば、小表示部を収容するハウジングの外側面が、指針の基部の外側面と略面一状態で連続するか、或いは、ハウジングの外側面が、指針の基部の外側面よりも大径となるようにすることにより、小表示部を良好な外観に仕上げることができる。
【００５５】
請求項４の発明によれば、小表示部のハウジングの外側面を文字板へ近づくに従い細くなる逆テーパ形状とすることにより、文字板の表示領域をより広く確保することができると共に、小表示部のハウジングを目線から有効に隠すことができる。
【００５６】
請求項５の発明によれば、指針の基部に小表示部へ給電するためのハーネスを通す挿通孔を設けることにより、ハーネスを介して小表示部へ有効に給電することができる。また、挿通孔をハーネスと非干渉形状とすることにより、回動中の指針にハーネスが干渉しないようにすることができる、という実用上有益な効果を発揮し得る。
【図面の簡単な説明】
【図１】本発明の実施の形態の斜視図である。
【図２】図１の正面図である。
【図３】図２の横断面図である。
【図４】図２の中央部分の縦断面図である。
【図５】図２の側部の縦断面図である。
【図６】指針の斜視図である。
【符号の説明】
１　　車両用計器
７　　指針
８　　文字板
１５　基部
１５ａ　外側面
２５　透明カバー
３５　小表示部
３８　ハウジング
３８ａ　外側面
４３　ハーネス
４４　挿通孔
【図１】
2004132756.tif 000003
【図２】
2004132756.tif 000004
【図３】
2004132756.tif 000005
【図４】
2004132756.tif 000006
【図５】
2004132756.tif 000007
【図６】
2004132756.tif 000008